(57)【要約】【課題】複数のデータポートを用いた映像データの記録を実質的に高い転送レートの下で行えるようにし、且つデータ圧縮を行って限られた記録媒体の容量に複数の映像データを長時間録画できるようにした録画装置を構成する。【解決手段】複数のデータポートＤＡＴＡ０〜ＤＡＴＡ７とクロックポートＣＬＫに入力される映像データを記録する際、所定時間に亘ってデータ値の変化がないポートについて、そのポートのデータ値とそのデータ値が連続している旨を表すデータを記録する。また、データ値の変化がなくなったポートについてその時刻情報を記録する。更にクロック信号の転送レートを（周波数）を値として記録する。これにより実質的な転送レートを高め、無駄な映像データの記録を排除して記憶容量の有効利用をも図る。【選択図】図２
2007181092.tif 000002
【特許請求の範囲】
【請求項１】
複数のデータポートおよびクロックポートに入力される映像データを記録する録画装置において、
前記複数のポートのうち記録を行うポートまたは行わないポートを指定するポート指定手段と、
所定時間に亘ってデータ値の変化がないポートについて、当該ポートのデータ値と当該データ値が連続している旨を表すデータを記録する連続データ記録手段と、
前記所定時間に亘ってデータ値の変化がなくなったポートについて、当該時刻情報を記録する手段と、
前記所定時間内にデータ値の変化があり、且つ前記記録を行うポートについて、前記クロック信号のタイミングでのデータ値を記録する変化データ記録手段と、
前記クロック信号の転送レートを記録する転送レート記録手段と、
を備えた録画装置。
【請求項２】
複数のデータポートおよびクロックポートに入力される映像データを記録する録画装置において、
所定時間に亘ってデータ値の変化がないポートについて、当該ポートのデータ値と当該データ値が連続している旨を表すデータを記録する連続データ記録手段と、
前記所定時間内にデータ値の変化があるポートについて、前記クロック信号のタイミングでのデータ値を記録する変化データ記録手段と、
を備えた録画装置。
【請求項３】
前記クロックポートについて、クロック信号の変化を記録せず、当該クロック信号の転送レートの値を記録する転送レート記録手段を備えた請求項２に記載の録画装置。
【請求項４】
前記所定時間に亘ってデータ値の変化がなくなったポートについて、当該時刻情報を記録する手段を備えた請求項２または３に記載の録画装置。
【請求項５】
前記複数のポートのうち記録を行うポートまたは行わないポートを指定するポート指定手段を設け、前記データ記録手段は、記録を行うポートについてのみ記録を行うようにした請求項１〜４のうちいずれか１項に記載の録画装置。
【発明の詳細な説明】
【技術分野】
【０００１】
この発明は、複数の映像データを同時に記録する録画装置に関するものである。
【背景技術】
【０００２】
複数の映像信号や映像データを同時に記録する録画装置として特許文献１〜３が開示されている。
特許文献１は、映像データ記録再生システムおよびその方法に関する発明であり、データの連続入出力を可能とし、複数の入出力を同時に行え、更に、見かけ上の内部データ転送速度を向上させ、同時に扱える入出力数を増加できるようにした構成が開示されている。
【０００３】
特許文献２は、データ記録再生装置およびその方法に関する発明であり、ノンリニアアクセスが可能な記録媒体と、その記録媒体に対してデータの入出力を行う複数の入出力処理部とを備えたＡＶサーバが開示されている。
【０００４】
特許文献３は、汎用ストレージ装置に関する発明であり、同じ種類の記録媒体間および異なる種類の記録媒体間で容易にダビングできるようにした装置が開示されている、
【特許文献１】特開２００４−０７８９４６号公報
【特許文献２】特開２００２−０１０１９３号公報
【特許文献３】特開平１１−３５３７９４号公報
【発明の開示】
【発明が解決しようとする課題】
【０００５】
一般に、映像データをハードディスクなどに記録する録画装置においては、同時録画が可能な映像データの入力数（ポートの数）を極力多くし、且つ録画可能な時間も極力長くすることが望まれる。しかし、複数のデータポートから入力される映像データを記録する際、そのデータの転送レートはデータポートの数×クロック周波数で定まる。
【０００６】
特許文献１〜３に示されている技術内容でも、上記転送レートを高めることはできない。
すなわち、特許文献１の映像データ記録再生システムおよび方法は、複数チャンネルの入出力端子からのデータを圧縮・伸長することにより記憶装置を節約するものであるが、圧縮・伸長方式によって圧縮率が定まり、複数のポートに入力される映像データの状態に応じては必ずしも高い圧縮効果が得られないという問題があった。
【０００７】
特許文献２のデータ記録再生装置および方法では、複数の入出力処理部がそれぞれ予め割り当てられたタイムスロット内で入力されたデータを処理して記録媒体に記録するようにしているが、複数のデータポートによるデータの転送レートの圧縮については開示されていない。
【０００８】
特許文献３の汎用ストレージ装置では、ＡＤ変換器およびＤＡ変換器の両方に接続された少なくとも１つのコネクタからなる双方向入出力ポートを備えてフォーマット変換を行うだけであるので、やはり転送レートの圧縮に関して開示されていない。
【０００９】
そこで、この発明の目的は、複数のデータポートを用いた映像データの記録を実質的に高い転送レートの下で行えるようにし、且つデータ圧縮を行って限られた記録媒体の容量に複数の映像データを長時間録画できるようにした録画装置を提供することにある。
【課題を解決するための手段】
【００１０】
この発明は、複数のデータポートのうち利用されるポートの数や映像データの内容に応じて実質上の転送レートを高められることを見いだして成したものである。
【００１１】
上記課題を解決するためにこの発明は次のように構成する。
複数のデータポートおよびクロックポートに入力される映像データを記録する録画装置において、所定時間に亘ってデータ値の変化がないポートについて、当該ポートのデータ値と当該データ値が連続している旨を表すデータを記録する連続データ記録手段と、前記所定時間内にデータ値の変化があるポートについて、前記クロック信号のタイミングでのデータ値を記録する変化データ記録手段と、を備える。
【００１２】
また、前記クロックポートについて、クロック信号の変化を記録せず、当該クロック信号の転送レート（周波数）の値を記録する転送レート記録手段を備える。
【００１３】
また、前記所定時間に亘ってデータ値の変化がなくなったポートについて、当該時刻情報を記録する手段を備える。
【００１４】
さらに、前記複数のポートのうち記録を行うポートまたは行わないポートを指定するポート指定手段を設け、前記データ記録手段は、記録を行うポートについてのみ記録を行うようにする。
【発明の効果】
【００１５】
この発明によれば、所定時間に亘ってデータ値の変換がないポートについて、そのポートのデータ値とそれが連続している旨を表すデータを記録するようにしたことにより、そのデータ値の変化がないポートに入力されるデータの記録媒体上の容量を削減でき、また連続的なデータの転送も不要となるので、実質上の転送レートが高まる。
【００１６】
また、複数のポートのうち記録を行うポートまたは行わないポートを指定可能とし、記録を行うポートについてのみ記録を行うようにしたことにより、無駄なデータ転送がなくなり、その分実質上の転送レートを高めることができ、且つ記録容量も削減できる。
【００１７】
また、所定時間に亘ってデータ値の変化がなくなったポートについてそのデータ値の変化がなくなった時刻の情報を記録するようにしたことにより、記録開始時点でデータ値の変化があって、途中でデータ値の変化がなくなった場合についても、上記時刻情報を参照することによって、映像データの再生時に上記ポートに入力された映像データをそのまま再現することができる。
【００１８】
クロック信号の転送レートを記録する転送レート記録手段を設け、クロック信号の波形ではなくその転送レートの値を記録することにより、クロック信号をそのまま記録する場合に比べて、データ転送量が削減でき、その分実質上の転送レートが高まり、記録すべきデータ量も削減できる。
【発明を実施するための最良の形態】
【００１９】
この発明の実施形態に係る録画装置について図１〜図４を参照して説明する。
図１は、この発明の実施形態に係る録画装置を含む映像記録再生システム全体の構成を示すブロック図である。ここで映像信号入力装置１０は例えば放送されている番組を受信する複数のチューナや複数の番組を同時に受信するチューナなどであり、録画装置２０に対して複数の映像データを同時に入力させる。録画装置２０はこの複数の映像データを録画し、必要な時点で再生してテレビ受像機３０に表示出力する。
【００２０】
図２は録画装置の構成を示すブロック図である。ここでハードディスク装置３は映像データを記録する記録装置であり、コントローラ２がその記録・読出制御を行う。入力インタフェース１は複数のデータポートＤＡＴＡ０〜ＤＡＴＡ７およびクロックポートＣＬＫを備えている。コントローラ２はこのインタフェース１を介して各ポートのデータ値を読み取り、後述する処理を行う。コントローラ２はハードディスク装置３に記録した映像データを再生してインタフェース４を介して外部へ出力する。
【００２１】
図３は、図２に示した各ポートのデータ値の変化の例を示す図であり、タイミングチャートである。この例では、ＤＡＴＡ０，ＤＡＴＡ１には有効な映像データが入力されていて、時間経過に伴ってデータ値が変化している。ＤＡＴＡ２は常にデータ値０が入力されている。ＤＡＴＡ３は常にデータ値１が入力されている。クロックポートＣＬＫには一定周波数のクロック信号（矩形波信号）が入力されている。
【００２２】
図４は、図２に示したコントローラ２の処理内容をフローチャートとして表したものである。まず、クロックポートＣＬＫの値を読み込み、その一定時間内での変化の回数によってクロック周波数を検出する（Ｓ１→Ｓ２→Ｓ３→Ｓ１→・・・・）。その後、検出しりクロック周波数の値を記録する（Ｓ４）。
【００２３】
また、データポートＤＡＴＡ０〜ＤＡＴＡ７のデータ値をそれぞれクロックポートＣＬＫに入力されるクロック信号のタイミングに同期して読み取る（Ｓ５）。この読み取ったデータ値が一定時間（例えば数秒〜数十秒間）内で変化したポートと変化のないポートを検出する（Ｓ６）。そして、変化のあったデータポートのデータ値をそのまま記録する（Ｓ７）。また、変化のないデータポートのデータ値は、その変化がなくなった時点の時刻データと共にそのデータ値を記録する（Ｓ８）。この時刻データは、この時刻以降そのデータ値が連続している旨を表すデータを兼ねる。
【００２４】
以降、上記各データポートのデータ値の読み取りと、その値に応じた処理を繰り返す。
このようにして記録された映像データを再生する場合、上記クロック周波数の値を読み出し、データ値の変化のあったポートからの入力データについては、記録されているデータ値を上記クロック周波数で順次読み出すことによって映像データを再生する。また、データ値の変化のないデータポートからの入力データについては、該当時刻になった時点からそのデータ値を連続的に出力することによって、元の映像データ（または無信号状態）を再現する。
【００２５】
なお、データ値の変化のあったデータポートからの入力したデータ値の再生については、クロック周波数とデータ数によって録画開始時からの経過時間が算出できるので、このデータ値について時刻情報を付加する必要はない。
【００２６】
図４に示した例では、一定時間に亘ってデータ値の変化がなくなったポートについて、そのデータ値が連続している旨を表すデータと共にその状態になった時刻データを記録するようにしたが、予め映像データを入力しないポートが分かっていて、その指定がなされた場合には、該当のポートについては映像データの入力がないことを表す情報を記録する。これにより、そのデータポートの入力データの再生時には、映像データ未入力の旨を出力するように構成すればよい。また、データ入力を行うポートの指定があった場合には、ステップＳ６で示した一定時間内のデータ値変化の検出は行わずに無条件にクロックのタイミングでデータ値を順次記録するようにしてもよい。
【図面の簡単な説明】
【００２７】
【図１】この発明の実施形態に係る録画装置を含む映像データの記録再生システムの構成を示すブロック図である。
【図２】同録画装置の構成を示すブロック図である。
【図３】録画装置の各ポートに入力される信号のタイミングチャートの例を示す図である。
【図４】録画装置内のコントローラの処理内容を示すフローチャートである。
【符号の説明】
【００２８】
３−ハードディスク装置
ＤＡＴＡ０〜ＤＡＴＡ７−データポート
ＣＬＫ−クロックポート
【図１】
2007181092.tif 000003
【図２】
2007181092.tif 000004
【図３】
2007181092.tif 000005
【図４】
2007181092.tif 000006